(57)【要約】      （修正有）【課題】二つの自由球体動作に近似する按摩球を提供する。【解決手段】二対の半球の回転球シェル、二つのウエイト及び一対の中環及び一つの横軸で構成され、ウエイトの上下が回転球シェルが枢設され、中間が中環で隔てられ、上下回転球シェルがそれぞれ独立し回転する回転球が形成され、回転球軸心の二つのウエイトブロックが横軸で直列に接続されて交互に回転可能で、掌中で遊ぶ時に任意回転する一組の按摩球が形成されている。【選択図】図２
0003108116.tif 000002
【実用新案登録請求の範囲】
【請求項１】
二対の半球形の円錐刺付の回転球シェル内に二つのウエイトブロックが被包されて回転球シェルに対してウエイトブロックが固定部品とされ、一対の板状の中環がウエイトブロックの腰部の環状溝中に嵌合され、２対のウエイトブロック及び中環が横軸で直列に接続され、ウエイトブロックの上下に回転球シェルが枢設され、中間の中環が二つの回転球シェルのスペーサ帯とされ、上下の回転球シェルがそれぞれ独立して回転可能な一対の回転球を形成する按摩球において、回転球の軸心の二つのウエイトブロック間が横軸で直列に接続され、２対の回転球が交互に回転可能とされて順調な三次元回転を形成することを特徴とする、按摩球。
【請求項２】
請求項１記載の按摩球において、二つのウエイトブロックの間が管状のスペーサスリーブで介され、二つのウエイトブロックの間に二組のシェル上の円錐刺付の相互接触を防止する十分な距離が保持されたことを特徴とする、按摩球。
【請求項３】
請求項１又は請求項２記載の按摩球において、ウエイトブロックの上下両面に直立軸孔が設けられ、軸孔が軸スリーブを枢設する軸ピンとの嵌合に用いられることを特徴とする、按摩球。
【請求項４】
請求項１又は請求項２記載の按摩球において、軸スリーブが二段式外径を具え、その大径端が外向きとされ、該軸スリーブが組み合わされるシェルの軸受孔に止退フックが設けられ、軸受孔が軸スリーブの大径部分に嵌合され、止退フックが軸スリーブの小径部分を係止してシェルの脱落を防止することを特徴とする、按摩球。
【請求項５】
請求項１又は請求項２記載の按摩球において、中環の一方の環板端部に凸塊が設けられ、該凸塊に横向き軸孔が設けられ、凸塊に縦向きにピン孔が設けられ、もう一方の環板の端部に横向き連結軸が凸設され、連結軸に軸径周辺に沿って環状溝が設けられ、該連結軸がスライド式に凸塊の軸孔中に挿入され、並びに軸ピンがピン孔に挿入され、該軸ピンが連結軸の環状溝にスライド式に組み合わされて左右の二つの環板が活動可能に接合されたことを特徴とする、按摩球。
【考案の詳細な説明】
【技術分野】
【０００１】
本考案は多軸接合を利用し一対の、任意に回転し、且つ相互に接続され並びに一定距離を保持するよう構成された回転球構造に係り、二対の半球の回転球シェル、二つのウエイト及び一対の中環及び一つの横軸で構成され、ウエイトの上下が回転球シェルが枢設され、中間が中環で隔てられ、上下回転球シェルがそれぞれ独立し回転する回転球が形成され、回転球軸心の二つのウエイトブロックが横軸で直列に接続されて交互に回転可能で、掌中で遊ぶ時に任意回転するよう構成されたペア按摩球の構造に関する。
【背景技術】
【０００２】
中国武術界にはいわゆる「鉄膽」の按摩器具があり、それは二つの重い鉄球であり、掌中に握持して遊び、掌の活発な運動により、鉄球を掌中で動かしてツボの按摩を行ない、筋肉をほぐすもので、それは制限を受けず、自在に回転する。
【０００３】
以上の鉄膽を基礎として発生した周知の按摩球は、図９に示されるようであり、重い鉄球の代わりに表面に円錐状の刺が密に設けられた回転球Ｂとされ、回転球Ｂの表面の円錐状の刺がツボに対する刺激を強化する。量産できるように、回転球Ｂはプラスチック材料を型で成形してなり、且つその比重を増すため、回転球Ｂの軸心は金属製のウエイト回転子Ｒとされ、これら回転球Ｂとウエイト回転子Ｒは半球状に形成され、これにより軸ピンＳで二組の回転球Ｂ及びウエイト回転子Ｒが連結板Ｍに枢設され、上下二つの半円球が交互に回転する円球を形成する。しかし鉄膽は二つ以上の球体でなければ掌中心で遊動する効果を発生できない。ただし、表面に刺を設けた二つの円球は却って相互干渉を発生し回転不能となり、ゆえに上述の連結板Ｍに二対の刺付き円球が嵌合され、これにより円球に距離を保持させている。
【０００４】
上述の周知の按摩球は軸ピンＳ上で自由に回転できるが、非軸ピンの軸心方向にあってはただ同期に同方向に回転できるだけで（図中の方向指示線で指示）、操作時に抵抗があり滑らかでない。
【考案の開示】
【考案が解決しようとする課題】
【０００５】
本考案は二つの自由球体動作に近似する按摩球を提供することを目的とし、そのうち２対の半球形の円錐刺付の回転球シェルは按摩球の必要部品であり、二つのウエイトブロックが回転球シェル中内に被包され、回転球シェルに対してウエイトブロックは固定部品であり、一対の板状の中環がウエイトブロックの腰部の環状溝中に嵌着され、２対のウエイトブロック及び中環が横軸で直列に枢設される。該ウエイトブロックの上下に回転球シェルが枢設され、中間の中環は二つの回転球シェルの間を隔離し、上下の回転球シェルが独立して回転可能な一対の回転球を形成して回転球軸心の二つのウエイトブロックが横軸により直列に接続されて交互に回転可能とされ、これにより按摩球を掌中で遊ぶ時、２対の回転球の移動が平面式の二次元回転形態を超越し、上下起伏を含む三次元動態を形成し、二つのウエイトブロックの間の横軸が回転の不順調を解消し、掌でどのような姿勢で転がしても滞りなくペア回転球を回転させることができる。
【０００６】
上述の按摩球の左右を直列に接続する横軸装置は、中環の端辺に設置され、そのうち中環の一つに軸孔を具えた凸塊が設けられ、別の中環に対応する連結軸が設けられ、中環が軸孔、連結軸により枢設され交互に回転可能な形態とされる。
【課題を解決するための手段】
【０００７】
請求項１の考案は、二対の半球形の円錐刺付の回転球シェル内に二つのウエイトブロックが被包されて回転球シェルに対してウエイトブロックが固定部品とされ、一対の板状の中環がウエイトブロックの腰部の環状溝中に嵌合され、２対のウエイトブロック及び中環が横軸で直列に接続され、ウエイトブロックの上下に回転球シェルが枢設され、中間の中環が二つの回転球シェルのスペーサ帯とされ、上下の回転球シェルがそれぞれ独立して回転可能な一対の回転球を形成する按摩球において、回転球の軸心の二つのウエイトブロック間が横軸で直列に接続され、２対の回転球が交互に回転可能とされて順調な三次元回転を形成することを特徴とする、按摩球としている。
請求項２の考案は、請求項１記載の按摩球において、二つのウエイトブロックの間が管状のスペーサスリーブで介され、二つのウエイトブロックの間に二組のシェル上の円錐刺付の相互接触を防止する十分な距離が保持されたことを特徴とする、按摩球としている。
請求項３の考案は、請求項１又は請求項２記載の按摩球において、ウエイトブロックの上下両面に直立軸孔が設けられ、軸孔が軸スリーブを枢設する軸ピンとの嵌合に用いられることを特徴とする、按摩球としている。
請求項４の考案は、請求項１又は請求項２記載の按摩球において、軸スリーブが二段式外径を具え、その大径端が外向きとされ、該軸スリーブが組み合わされるシェルの軸受孔に止退フックが設けられ、軸受孔が軸スリーブの大径部分に嵌合され、止退フックが軸スリーブの小径部分を係止してシェルの脱落を防止することを特徴とする、按摩球としている。
請求項５の考案は、請求項１又は請求項２記載の按摩球において、中環の一方の環板端部に凸塊が設けられ、該凸塊に横向き軸孔が設けられ、凸塊に縦向きにピン孔が設けられ、もう一方の環板の端部に横向き連結軸が凸設され、連結軸に軸径周辺に沿って環状溝が設けられ、該連結軸がスライド式に凸塊の軸孔中に挿入され、並びに軸ピンがピン孔に挿入され、該軸ピンが連結軸の環状溝にスライド式に組み合わされて左右の二つの環板が活動可能に接合されたことを特徴とする、按摩球としている。
【考案の効果】
【０００８】
本考案の按摩球は、回転球軸心の二つのウエイトブロックが横軸により直列に接続され、交互に回転可能とされ、これにより按摩球を掌中で転がす時、平面の二次元式回転形態を超越し、上下起伏動作を含むことで三次元式動態変化を形成し、掌でどのような姿勢で転がしても滞りなく按摩球を転がすことができ、その構造はすでに使用機能上の進歩を達成し、新規性と実用性を具えている。
【考案を実施するための最良の形態】
【０００９】
図１は本考案の実施例の動作表示図であり、自由球体動作を行なう二つの按摩球は、四つの半球体（シェル１１、１１Ａ）で組成され、各半球体はいずれも平面二次元式自由回転可能で、そのうち２対の半球体の円錐刺状の回転球シェル１１は同期或いは同方向に回転する必要がなく、二つの回転球シェル１１の上下が突き合わされて一つの回転球が形成され、二つの回転球１相互間も交互に回転可能で、これにより按摩球を掌中で転がす時、回転球の移動により平面式の二次元回転形態を超越し、上下起伏を含む３次元動態を形成する時も、滞りなく回転する。
【００１０】
本考案の按摩球の構造は図２の立体分解図に示されるとおりである。そのうち、２対の半球形の円錐刺付の回転球シェル１１は按摩球の最外層部品とされ、二つのウエイトブロック２は球の中心とされて、大きな体積を獲得し、ウエイトブロック２は図示されるように球状体に近く、ウエイトブロックはシェルケースの内部に被包され、回転球シェル１１に対してウエイトブロック２は固定部品とされ、ウエイトブロック２の腰部に凹んだ環状溝２４が設けられている。板状中環４は、Ｃ形スナップリング状の環板４１と一側の凸塊４２で構成され、凸塊４２を貫通する横向きの軸孔４３が設けられている。該中環４はウエイトブロックの環状溝２４中に嵌着され、ウエイトブロック２の上下両面に立軸２３が設けられ、立軸２３に軸スリーブ５が設けられ、立軸２３末端にワッシャ５１と止退環５２が設けられて軸スリーブ５を制限し、これによりスライドスリーブが立軸２３上で脱落不能とされる。上述の回転球シェル１１はその中空の内室１２の上端に軸スリーブ５を保持する軸受孔１３が設けられ、二つの回転球シェル１１が上下に分けられ緊密に軸スリーブ５上に保持され、図の左の円形の回転球１が形成される。上述のウエイトブロック２に中環４の横向きの軸孔４３と同心の左右貫通軸孔（図示せず）が設けられ、軸孔末端は口径の比較的大きい端孔２２とされ、横軸３が左右二つのウエイトブロック２を直列に接続し、横軸３末端がワッシャ３３と止退環３４、３４Ａにより固定され、さらに中環端板４４が端孔２２及び中環４端部の開口を封鎖する。
【００１１】
按摩球の組合せ時は図３に示されるようであり、まず、軸スリーブが組み合わされたウエイトブロック２が中環４に組付けられ、別に二つの中環４の凸塊４２の位置が合わされ、更に横軸３の軸棒３２が二つのウエイトブロック２及び中環４に通され、横軸３の一端の頭端３１と別端に設けられた止退環３４により左右両端が制限され、その後、中環端板４４で両端部の開口が閉じられ、最後に四つの半球状のシェル１１が嵌合されて三次元回転の按摩球が形成される。
【００１２】
本考案の実施例の組合せ完成後の構造の詳細は図４の縦断面図に示されるようである。二つの回転球１は同じ二組の部品が組み合わされてなり、回転球１内部にウエイトブロック２が設けられ、ウエイトブロック２に横向きに貫通する軸孔２１が設けられ、中環４の軸孔４３と同心とされ、軸孔２１末端は口径の比較的大きい端孔２２とされ、横軸３が左右二つのウエイトブロック２を直列に接続し、端孔２２中が横軸の頭端３１とその末端のワッシャ３３、止退環３４が設置される空間とされるほか、磁石６を嵌合する空間とされうる。ウエイトブロック２の腰部の環状溝２４中に中環４が嵌め込まれ、二つの中環４が凸塊４２をインタフェースとし、二組のウエイトブロック２と中環４が横軸３により一体に直列に接続される。図示されるウエイトブロック２の上下両面の立軸２３に枢設された軸スリーブ５は、その周辺に止退の鋸歯状の紋が設けられ、立軸２３とシェル１１の結合を強化し、当然、立軸２３の外周とシェル軸受孔の組合せはその他の方式も可能である（きつさの制御或いは径面エンボス等）。
【００１３】
前述の図示される実施例のほか、図５に示されるのは本考案の別の実施例の立体分解図である。図中、前述の実施例と異なるものは中環４Ａの構造であり、図示される中環４Ａには中環端板が設けられず、二つのウエイトブロック２Ａの間が管状スペーサスリーブ７Ａで介され、二つのウエイトブロック間に十分な距離が設けられて二組のシェル１１Ａ上の円錐刺が相互に接触しないものとされる。その詳細な構造は図６に示されるようである。独立したスペーサスリーブ７Ａのほか、ウエイトブロック２Ａの上下両面にそれぞれ直立する軸孔２５Ａが設けられ、軸孔２５Ａ中に軸ピン５１Ａが設けられ、軸ピン５１Ａにスライド可能に軸スリーブ５Ａが設けられている。図中のもう一つの異なるところは、軸スリーブ５Ａが二段式外径を有することであり、その大径端は外向きであり、軸スリーブ５Ａに組み合わされるシェル１１Ａの軸受孔１３Ａは止退フック１３１Ａを具え、該軸受孔は軸スリーブ５Ａの大径部分に嵌合され、止退フック１３１Ａは軸スリーブ５Ａの小径部分に嵌合される。
【００１４】
また、按摩球の中環は左右が異なる構造とされうる。図７は本考案の第３実施例の立体分解図である。図中、中環４Ｂの右辺の環板４１Ｂ端部の凸塊４２Ｂに横向き軸孔４３Ｂが設けられ、凸塊４２Ｂに縦向きにピン孔４２１Ｂが設けられ、左辺に組み合わされた環板４１Ｂ２の端部に横向き連結軸４５Ｂが設けられ、連結軸４５Ｂに軸径周辺に沿って環状溝４５１Ｂが設けられ、該連結軸４５Ｂにスライド式に凸塊の軸孔４３Ｂ中に枢設され、並びに軸ピン４６Ｂがピン孔４２１Ｂ中に挿入され、軸ピン４６Ｂが連結軸の環状溝４５１Ｂに嵌合され、左右の二つの環板４１Ｂ、４１Ｂ２が活動可能に接合される。
【００１５】
また、図８は本考案の第４実施例の立体分解図であり、そのうち、中環４Ｃに左右辺の環板４１Ｃ２、４１Ｃが設けられ、それと図７の異なるところは、凸塊４２Ｃのピン孔４２１Ｃが縦向きに偏心設置され、ピン孔４２１Ｃが法線方向に連結軸の環状溝４５１Ｃを切り、軸ピン４６Ｃと環状溝４５１Ｃの接合が比較的滑らかとされていることである。
【図面の簡単な説明】
【００１６】
【図１】本考案の動作表示立体図である。
【図２】本考案の実施例の立体分解図である。
【図３】本考案の実施例の組立状態立体分解図である。
【図４】本考案の実施例の二面図である（縦面構造図を含む）。
【図５】本考案の実施例の別の立体分解図である。
【図６】本考案の実施例の別の二面図である（縦面構造図を含む）。
【図７】本考案の実施例３の立体分解図である。
【図８】本考案の実施例４の立体分解図である。
【図９】周知の按摩球の立体分解図である。
【符号の説明】
【００１７】
１、１Ａ、１Ｂ、１Ｃ  按摩球          １１、１１Ａ  シェル
１２  内室                            １３、１３Ａ  軸受孔
１３１Ａ  フック
２、２Ａ  ウエイトブロック            ２１  軸孔
２２、２２Ａ  端孔                    ２３  立軸
２４、２４Ａ  環状溝                  ２５Ａ  軸孔
３、３Ａ、３Ｂ、３Ｃ  横軸            ３１  頭端
３２  軸棒                            ３３、３３Ａ  ワッシャ
３４、３４Ａ  止退環                  ３５、３５Ｂ  凹溝
３６、３６Ｂ  止退ピン
４、４Ａ、４Ｂ、４Ｃ  中環
４１、４１Ｂ、４１Ｂ２、４１Ｃ、４１Ｃ２  環板
４２、４２Ｂ、４２Ｃ  凸塊            ４２１Ｂ、４２１Ｃ  ピン孔
４３、４３Ｂ、４３Ｃ  軸孔            ４４  中環端板
４５Ｂ、４５Ｃ  連結軸                ４５１Ｂ、４５１Ｃ  環状溝
４６Ｂ、４６Ｃ  軸ピン
５、５Ａ  軸スリーブ                  ５１  ワッシャ
５１Ａ  軸ピン                        ５２  止退環
６、６Ａ  磁石
７Ａ  スペーサスリーブ                ７１Ａ  軸孔
Ｂ  回転球                            Ｒ  ウエイト回転子
Ｓ  軸ピン                            Ｍ  連結板
【図１】
0003108116.tif 000003
【図２】
0003108116.tif 000004
【図３】
0003108116.tif 000005
【図４】
0003108116.tif 000006
【図５】
0003108116.tif 000007
【図６】
0003108116.tif 000008
【図７】
0003108116.tif 000009
【図８】
0003108116.tif 000010
【図９】
0003108116.tif 000011